(57)【要約】      （修正有）【課題】利用者の負担を軽減しながら口腔内の歯周病菌の繁殖を抑制することができる歯周病菌繁殖抑制装置を提供する。【解決手段】歯周病菌繁殖抑制装置１は、居住空間を形成するチャンバ１０と、チャンバ内１０ａの気圧を、所定気圧の高圧に維持するための加圧手段２０と、チャンバ内１０ａの酸素濃度を所定濃度に維持するための酸素供給手段２２とを備え、チャンバ内１０ａの人の口腔内の気圧及び酸素濃度を所定の値に維持する。【選択図】図１
0003221177.tif 000002
【実用新案登録請求の範囲】
【請求項１】
口腔内の歯周病菌の繁殖を抑制するための歯周病菌繁殖抑制装置において、
居住空間を形成するチャンバと、
該チャンバ内の気圧を、所定気圧の高圧に維持するための加圧手段と、
該チャンバ内の酸素濃度を所定濃度に維持するための酸素供給手段とを備え、
該チャンバ内の人の口腔内の気圧及び酸素濃度を所定の値に維持することを特徴とする歯周病菌繁殖抑制装置。
【請求項２】
前記加圧手段が維持する気圧が、１．２気圧〜１．４気圧であることを特徴とする請求項１記載の歯周病菌繁殖抑制装置。
【請求項３】
前記酸素供給手段が維持する酸素濃度が、３５％〜４０％であることを特徴とする請求項１又は請求項２記載の歯周病菌繁殖抑制装置。
【考案の詳細な説明】
【技術分野】
【０００１】
本考案は、口腔内の歯周病菌の繁殖を抑制するための歯周病菌繁殖抑制装置に関する。
【背景技術】
【０００２】
従来より、口腔内の細菌の増殖を抑制するための装置が提供されている。例えば、特許文献１の細菌繁殖抑制装置は、口腔内の歯牙または歯周組織を一部または全部において被覆する床を備え、その床に良熱伝導体で構成された熱交換手段とその熱交換手段に対して熱制御を行う熱制御手段とを備えることを特徴としている。
【先行技術文献】
【特許文献】
【０００３】
【特許文献１】特開平１０−２６２９９１号公報
【考案の概要】
【考案が解決しようとする課題】
【０００４】
しかしながら、従来の細菌繁殖抑制装置では、被覆床を口腔内に入れた状態で就寝等するため、使用者は長時間異物を口腔内に入れておかなければならず非常に不快である。
【０００５】
本考案は、このような事情に鑑みてなされたもので、利用者の負担を軽減しながら口腔内の歯周病菌の繁殖を抑制することができる歯周病菌繁殖抑制装置を提供することを目的とする。
【課題を解決するための手段】
【０００６】
請求項１記載の歯周病菌繁殖抑制装置は、居住空間を形成するチャンバと、チャンバ内の気圧を、所定気圧の高圧に維持するための加圧手段と、チャンバ内の酸素濃度を所定濃度に維持するための酸素供給手段とを備え、チャンバ内の人の口腔内の気圧及び酸素濃度を所定の値に維持することを特徴とする。
【０００７】
請求項２記載の歯周病菌繁殖抑制装置は、加圧手段が維持する気圧が、１．２気圧〜１．４気圧であることを特徴とする。
【０００８】
請求項３記載の歯周病菌繁殖抑制装置は、酸素供給手段が維持する酸素濃度が、３５％〜４０％であることを特徴とする。
【考案の効果】
【０００９】
本願考案の歯周病菌繁殖抑制装置によれば、利用者の負担を軽減しながら口腔内の歯周病菌の繁殖を抑制することができる。
【図面の簡単な説明】
【００１０】
【図１】本考案に係る歯周病菌繁殖抑制装置の構成の一例を示す説明図である。
【考案を実施するための形態】
【００１１】
以下、本考案の形態について図面を参照しながら具体的に説明する。図１は、本考案に係る歯周病菌繁殖抑制装置の構成の一例を示す説明図である。
【００１２】
図における歯周病菌繁殖抑制装置１は、口腔内の歯周病菌の繁殖を抑制するためのものである。居住空間を形成するチャンバ１０と、チャンバ内１０ａの気圧を上げるための加圧手段である加圧用コンプレッサ２０と、チャンバ内１０ａの酸素濃度を所定濃度に維持するための酸素供給手段２２とを備えている。また、チャンバ内１０ａの気圧をモニタするための圧力計３０も備えている。尚、加圧手段である加圧用コンプレッサ２０が維持する気圧は、１．２気圧〜１．４気圧である。また、酸素供給手段２２が維持する酸素濃度は、３５％〜４０％である。
【００１３】
チャンバ１０は、人の身体が完全に収まる大きさで、単に横たわって入ることができる大きさから、部屋状の大きさだったり座ったりすることができる大きさや、複数人が入ることができる大きさまで、様々である。そして、チャンバ１０は、図示しない出入口があり、チャンバ１０を閉じた状態では、チャンバ内１０ａは密閉空間になるような構造である。
【００１４】
加圧用コンプレッサ２０は、チャンバ内１０ａの気圧を上げるための加圧手段であり、チャンバ１０の外側に配置され、チャンバ内１０ａと連通して給気している。尚、チャンバ内１０ａに配置されていてもよい。加圧用コンプレッサ２０は、加圧手段の一例であり、ポンプ等の他の手段であってもかまわない。
【００１５】
減圧用コンプレッサ（不図示）も併せて用いた場合、減圧用コンプレッサは、加圧用コンプレッサ２０と組み合わせて所定圧を維持するための手段であり、チャンバ内１０ａの気圧を高圧から常圧に戻す際に、常圧に向かってチャンバ内１０ａの気圧を下げるための減圧手段であって、チャンバ内１０ａに配置され、チャンバ内１０ａの空気を押し出すものである。または、チャンバ１０の外側に配置されている場合には、チャンバ内１０ａの空気を吸い出すものであってもよい。減圧用コンプレッサは、減圧手段の一例であり、ポンプ等の他の手段であってもかまわない。
【００１６】
尚、図示してはいないが、チャンバ内１０ａの気圧の調整のために、各種の弁構造を設けるようにしてもよい。
【００１７】
酸素供給手段２２は、チャンバ内１０ａの酸素濃度を所定濃度に維持するために高濃度酸素を供給する手段であり、チャンバ１０の外側に配置され、チャンバ内１０ａと連通している。尚、酸素供給手段２２は、チャンバ内１０ａに配置されていてもよい。
【００１８】
次に、本実施の形態における歯周病菌繁殖抑制装置１の動作の一例を説明する（図１参照）。まず、加圧手段である加圧用コンプレッサ２０を動作させて、チャンバ内１０ａの気圧を、所望の気圧だけ高くするようにする。そして、所定間隔でチャンバ内１０ａの気圧を、常圧よりも高圧な状態を維持したまま所定圧とする。併せて、酸素供給手段２２を動作させて、チャンバ内１０ａの酸素濃度を、所望の濃度だけ高くして、所定の高酸素濃度を維持する。気圧を下げたい場合には、加圧用コンプレッサ２０の出力を調整しつつ、減圧手段である減圧用コンプレッサ（不図示）を動作させて、気圧を下げるようにする。
【００１９】
加圧用コンプレッサ２０及び減圧用コンプレッサ（不図示）をバランス良く動作させるようにし、必要に応じて図示しない弁構造を動作させて、気圧を維持させる。尚、チャンバ内１０ａの気圧を下げて常圧に戻す場合には、加圧用コンプレッサ２０の動作を止めて、減圧用コンプレッサを動作させて、チャンバ内１０ａの空気をチャンバ１０の外に押し出す（又は抜き出す）ようにする。尚、図示しない弁構造を開放して高圧になった空気をチャンバ１０の外に出すようにしてもよい。
【００２０】
加圧手段である加圧用コンプレッサ２０を動作させて、チャンバ内１０ａの気圧を所定気圧の高圧に維持し、かつ、酸素供給手段２２を動作させて、チャンバ内１０ａの酸素濃度を所定の高濃度に維持することによって、チャンバ内１０ａの人の口腔内の気圧および酸素濃度を所定の値に維持することができる。それにより、口腔内の歯周病菌の繁殖を抑制することが可能となる。
【００２１】
以上のような構造の本実施の形態に係る歯周病菌繁殖抑制装置１によれば、利用者はチャンバ内１０ａで居住空間として自由に過ごしながら、口腔内の歯周病菌の繁殖を抑制することができるため、不快に感じることもなく、利用者の負担を軽減することができる。
【産業上の利用可能性】
【００２２】
本考案により、利用者の負担を軽減しながら口腔内の歯周病菌の繁殖を抑制することができる歯周病菌繁殖抑制装置を提供することができる。
【符号の説明】
【００２３】
１・・・・・歯周病菌繁殖抑制装置
１０・・・・チャンバ
１０ａ・・・チャンバ内
２０・・・・加圧用コンプレッサ
２２・・・・酸素供給手段
３０・・・・圧力計
【図１】
0003221177.tif 000003